(57)【要約】  サスペンションベース２１と可動部２４とを連結する各サスペンション２７３，２７４を有する光学ピックアップ装置１において、可動部２４にトラッキング方向Ｔ１，Ｔ２にそれぞれ略棒状に延びる各弾性保持部２１２，２１３を設け、この各弾性保持部２１２，２１３に各トラッキングサスペンション２７３，２７４を保持させている。このため、各弾性保持部２１２，２１３におけるＬＣＰ樹脂の流動方向をほぼトラッキング方向Ｔ１，Ｔ２のみにすることができ、高温や低温の環境下において各弾性保持部２１２，２１３の形状が変化したとしても、その形状変化をトラッキング方向Ｔ１，Ｔ２のみにすることができる。したがって、光学ピックアップ装置１によらず各弾性保持部２１２，２１３の変形を一様にでき、製品ごとの性能のばらつきを小さくできる。
2010086957.tif 000002
【特許請求の範囲】
【請求項１】
ベース部材と、このベース部材に固定される支持部と、レンズを有する可動部と、前記支持部に対して前記可動部を移動させる動作制御部と、を具備し、
前記動作制御部は、
コイルを保持し、前記可動部に設けられたコイル保持部と、
前記コイルと隙間を介して略対向する状態で前記ベース部材に設けられた磁石と、
前記支持部と前記可動部とを連結するとともに前記コイルに電気的に接続された第１の弾性部および第２の弾性部と、を備え、前記コイルへの通電により発生する電磁力で前記可動部を往復移動させ、
前記支持部は、トラッキング方向の両側またはフォーカス方向の両側に向かって略棒状に延びる形状に形成されて、前記第１の弾性部および前記第２の弾性部をそれぞれ保持する第１の弾性保持部および第２の弾性保持部を備えている
ことを特徴とする光学ピックアップ装置。
【請求項２】
請求項１に記載の光学ピックアップ装置において、
前記動作制御部は、
前記コイルの近傍に設けられた第１の近傍コイルおよび第２の近傍コイルを保持し、前記レンズを挟む状態で設けられた一対の前記コイル保持部と、
前記支持部と前記可動部とを連結するとともに前記第１の近傍コイルに電気的に接続され、前記第１の弾性部の前記フォーカス方向の一方向側に設けられた第３の弾性部と、
前記支持部と前記可動部とを連結するとともに前記第２の近傍コイルに電気的に接続され、前記第１の弾性部の前記フォーカス方向の一方向側に設けられた第４の弾性部と、を備え、前記コイルへの通電により発生する電磁力で前記可動部を前記トラッキング方向に往復移動させ、前記第１の近傍コイルおよび前記第２の近傍コイルへの通電による電磁力で前記可動部をフォーカス方向およびチルト方向のうち少なくとも一方に往復移動させ、
前記支持部は、
前記トラッキング方向の両側に向かって延びる前記第１の弾性保持部および前記第２の弾性保持部と、
前記第１の弾性保持部および前記第２の弾性保持部の前記フォーカス方向の一方向側から前記トラッキング方向の両側に向かって略棒状に延びる形状に形成されて、前記第３の弾性部および前記第４の弾性部をそれぞれ保持する第３の弾性保持部および第４の弾性保持部と、を備えている
ことを特徴とする光学ピックアップ装置。
【請求項３】
請求項１または請求項２に記載の光学ピックアップ装置において、
前記弾性部は、前記弾性保持部にインサート成形されることで保持されている
ことを特徴とする光学ピックアップ装置。
【発明の詳細な説明】
【技術分野】
【０００１】
本発明は、光学ピックアップ装置に関する。
【背景技術】
【０００２】
従来、ＣＤ（Compact Disc）やＤＶＤ（Digital Versatile Disc）あるいはＢＤ（Blu-ray Disc）などの記録媒体に記録されている情報を記録したり、または記録されている情報を再生したりする光学ピックアップ装置が知られている。（例えば、特許文献１参照）。
この特許文献１に記載の構成では、サスペンションワイヤは、サスペンションホルダに充填されたサスペンションホルダ凹部ダンピング材により、サスペンションホルダに弾性的に固定されている。また、サスペンションホルダには、半田固定部でサスペンションワイヤの端部に固定されたフレキシブルプリント基板が設けられている。さらに、サスペンションホルダとフレキシブルプリント基板との間には、サスペンションホルダ−フレキシブルプリント基板間ダンピング材が充填されている。
このようなサスペンションホルダ−フレキシブルプリント基板間ダンピング材を設けることにより、サスペンションワイヤに伝わる接線方向の振動に対するＸ軸まわりのピッチング共振の吸収を良くし、Ｚ軸まわりのヨーイング共振も抑える構成が採られている。【０００３】
【特許文献１】特開２００８−５２７６３号公報
【発明の開示】
【発明が解決しようとする課題】
【０００４】
しかしながら、特許文献１のような構成では、フレキシブルプリント基板は、異方性を有しているため、高温や低温の環境下では、様々な状態の反りや歪みが生じてしまうおそれがある。このため、環境によって光学ピックアップ装置ごとに対物レンズが異なる方向に傾いてしまい、製品の性能のばらつきが大きくなるおそれがある。【０００５】
本発明は、製品ごとの性能のばらつきを小さくすることが可能な光学ピックアップ装置を提供することを１つの目的とする。
【課題を解決するための手段】
【０００６】
本発明の光学ピックアップ装置は、ベース部材と、このベース部材に固定される支持部と、レンズを有する可動部と、前記支持部に対して前記可動部を移動させる動作制御部と、を具備し、前記動作制御部は、コイルを保持し、前記可動部に設けられたコイル保持部と、前記コイルと隙間を介して略対向する状態で前記ベース部材に設けられた磁石と、前記支持部と前記可動部とを連結するとともに前記コイルに電気的に接続された第１の弾性部および第２の弾性部と、を備え、前記コイルへの通電により発生する電磁力で前記可動部を往復移動させ、前記支持部は、トラッキング方向の両側またはフォーカス方向の両側に向かって略棒状に延びる形状に形成されて、前記第１の弾性部および前記第２の弾性部をそれぞれ保持する第１の弾性保持部および第２の弾性保持部を備えていることを特徴とする。
【図面の簡単な説明】
【０００７】
【図１】本発明の一実施形態に係る光学ピックアップ装置の斜視図である。
【図２】前記光学ピックアップ装置のフォーカス方向Ｆ１側からの平面図である。
【図３】前記光学ピックアップ装置のフォーカス方向Ｆ２側からの平面図である。
【図４】図２のIV−IV線に沿った断面図である。
【図５】前記光学ピックアップ装置の位置調整方向Ｐ１側からの側面図である。
【図６】図２のVI−VI線に沿った断面図である。
【図７】トラッキング端子およびフォーカス端子を示す図である。
【図８】第１，第２のトラッキングサスペンションおよびトラッキングコイル接続部材を示す平面図である。
【図９】第１〜第４のフォーカスサスペンションおよび第１，第２のフォーカス接続部材を示す平面図である。
【図１０】フォーカス方向位置決め部材の断面図である。
【図１１】サスペンションベースの製造方法を示す断面図である。
【符号の説明】
【０００８】
１…光学ピックアップ装置
１０…ベース部材としてのアクチュエータベース
２１…支持部としてのサスペンションベース
２４…可動部
２７…動作制御部
２１２，２１３，２１４，２１５…第１，第２，第３，第４の弾性保持部
２４１，２４２…第１，第２のレンズ
２７１…磁石
２７２…コイル保持部としてのコイル基板
２７３Ｄ，２７４Ｄ…第１，第２の弾性部としての第１，第２のトラッキング弾性部
２７６Ｄ，２７７Ｄ…第３の弾性部としての第１，第２のフォーカス弾性部
２７８Ｄ，２７９Ｄ…第４の弾性部としての第３，第４のフォーカス弾性部
【発明を実施するための最良の形態】
【０００９】
以下、本発明の実施形態を図面に基づいて説明する。
図１は、本発明の一実施形態に係る光学ピックアップ装置の斜視図である。図２は、光学ピックアップ装置のフォーカス方向Ｆ１側からの平面図である。図３は、光学ピックアップ装置のフォーカス方向Ｆ２側からの平面図である。図４は、図２のIV−IV線に沿った断面図である。図５は、光学ピックアップ装置の位置調整方向Ｐ１側からの側面図である。図６は、図２のVI−VI線に沿った断面図である。図７は、トラッキング端子およびフォーカス端子を示す図である。図８は、第１，第２のトラッキングサスペンションおよびトラッキングコイル接続部材を示す平面図である。図９は、第１〜第４のフォーカスサスペンションおよび第１，第２のフォーカス接続部材を示す平面図である。図１０は、フォーカス方向位置決め部材の断面図である。【００１０】
［光学ピックアップ装置の全体構成］
図１および図２において、光学ピックアップ装置１は、ベース部材としてのアクチュエータベース１０と、ピックアップアクチュエータ２０と、フォーカス方向動作規制部としてのフォーカス方向位置決め部材４０と、を備えている。光学ピックアップ装置１は、例えばＣＤやＤＶＤあるいはＢＤなどの記録媒体に情報を記録、または記録された情報を再生する記録媒体駆動装置に組み込まれている。光学ピックアップ装置１は、このような記録媒体駆動装置に格納された記録媒体の情報記録面に対向する位置に、この記録媒体の径方向に移動可能に取付けられている。
なお、以下において、記録媒体の径方向の一方側および他方側をそれぞれトラッキング方向Ｔ１，Ｔ２と、記録媒体の情報記録面と直交する方向の一方側および他方側をそれぞれフォーカス方向Ｆ１，Ｆ２と、トラッキング方向Ｔ１およびフォーカス方向Ｆ１と直交する方向の一方側および他方側をそれぞれ位置調整方向Ｐ１，Ｐ２と、称して説明する。【００１１】
〔アクチュエータベースの構成〕
アクチュエータベース１０は、図示しないピックアップ支持体に取付けられている。このピックアップ支持体は、図示しない駆動機構に接続され、駆動機構の制御により光学ピックアップ装置１を記録媒体の面に沿ってトラッキング方向Ｔ１，Ｔ２へ移動させる。また、ピックアップ支持体には、図示しないＣＤ−ＤＶＤ用レーザ光源と、ＢＤ用レーザ光源とが取り付けられている。
そして、このＣＤ−ＤＶＤ用レーザ光源から出射された７８０ｎｍのＣＤ用レーザ光または６５０ｎｍのＤＶＤ用レーザ光は、光学系により構成される光路を通って後述する第１のレンズ２４１の下方に至る。また、ＢＤ用レーザ光源から出射された４０５ｎｍのＢＤ用レーザ光は、後述する第２のレンズ２４２の下方に至る。各レンズ２４１，２４２の下方には立ち上げミラー（図示せず）が配置されており、各レーザ光は立ち上げミラーにより上方へ進路変更されて各レンズ２４１，２４２を下から上へと通過する。各レンズ２４１，２４２の上方には図示しない記録媒体が配置され、各レンズ２４１，２４２は各レーザ光を記録媒体の情報記録面に集光する。【００１２】
アクチュエータベース１０は、図３に示すように、略矩形板状のサスペンションベース配置部１１を備えている。このサスペンションベース配置部１１の略中央には、図４に示すように、位置決め孔１２が設けられている。さらに、この位置決め孔１２のトラッキング方向Ｔ１，Ｔ２側には、挿入孔１３が設けられている。また、図５にも示すように、サスペンションベース配置部１１の位置調整方向Ｐ１側の側縁には、フォーカス方向Ｆ１に延びる第１のヨーク１４が設けられている。この第１のヨーク１４には、フォーカス方向Ｆ１側の端部から略中央にかけて延び、底部が略Ｖ字状に形成された被係合部としての第１の係合溝部１４Ａが設けられている。
さらに、サスペンションベース配置部１１の位置調整方向Ｐ２側の側縁には、図１にも示すように、第２のヨーク１５と、第１のヨーク１４と離れる方向に延びる２個のベース架橋部１６と、が設けられている。第２のヨーク１５は、第１のヨーク１４と対向し、かつ、第１のヨーク１４よりも若干立ち上がり寸法が大きい形状を有している。また、第２のヨーク１５には、図６に示すように、フォーカス方向Ｆ１側に位置し、第１の係合溝部１４Ａよりもフォーカス方向Ｆ２の寸法が小さくかつ底部が略Ｖ字状に形成された被係合部としての第２の係合溝部１５Ａが設けられている。
また、ベース架橋部１６の延出方向の先端には、両者を連結するベース連結部１７が設けられている。そして、ベース連結部１７のサスペンションベース配置部１１側の側縁には、第２のヨーク１５と対向し、かつ、第２のヨーク１５と略等しい形状を有する第３のヨーク１８が設けられている。【００１３】
〔ピックアップアクチュエータの構成〕
ピックアップアクチュエータ２０は、図１に示すように、アクチュエータベース１０のサスペンションベース配置部１１に固定される支持部としてのサスペンションベース２１と、サスペンションベース２１に対して移動可能な可動部２４と、サスペンションベース２１に対して可動部２４を移動させる動作制御部２７と、を備えている。【００１４】
サスペンションベース２１は、略四角筒状のベース基部２１１を備えている。このベース基部２１１のトラッキング方向Ｔ１，Ｔ２側の側面（以下、ベーストラッキング側面と称す）には、図２および図５にも示すように、位置調整方向Ｐ１側かつフォーカス方向Ｆ１側からトラッキング方向Ｔ１，Ｔ２にそれぞれ略棒状に延びる第１，第２の弾性保持部２１２，２１３と、これら第１，第２の弾性保持部２１２，２１３のフォーカス方向Ｆ２側から略棒状に延びる第３，第４の弾性保持部２１４，２１５と、が設けられている。各弾性保持部２１２〜２１５の先端には、位置調整方向Ｐ２に延びる棒状部２１６が設けられている。また、ベース基部２１１には、ベーストラッキング面に隙間を介して対向し、かつ、棒状部２１６の間に位置するダンピング剤充填部２１７が設けられている。
また、ベーストラッキング面には、図４にも示すように、略長方形板状に膨出する爪係止部２１８が設けられている。【００１５】
さらに、ベース基部２１１の位置調整方向Ｐ１側の側面の中央には、略長方形板状に膨出する係合部としての第１の係合突出部２１９が設けられている。この第１の係合突出部２１９は、トラッキング方向Ｔ１の寸法が第１の係合溝部１４Ａと略等しい大きさに設定されているとともに、フォーカス方向Ｆ２側の端部が円弧面状に形成され、第１の係合溝部１４Ａに係合している。
また、ベース基部２１１の位置調整方向Ｐ２側の側面には、図６にも示すように、略半円板に膨出する係合部としての第２の係合突出部２２０が設けられている。この第２の係合突出部２２０は、フォーカス方向Ｆ１側に設けられ、トラッキング方向Ｔ１の寸法が第２の係合溝部１５Ａと略等しい大きさに設定されているとともに、フォーカス方向Ｆ２側の端部が円弧面状に形成され、第２の係合溝部１５Ａに係合している。
また、サスペンションベース２１における位置調整方向Ｐ１側の側面には、フレキシブル基板２３（図１では図示せず）が取り付けられている。【００１６】
可動部２４は、図１および図２に示すように、各レンズ２４１，２４２を位置調整方向Ｐ２に並べた状態で保持する略長方形板状のレンズホルダ２４３を備えている。このレンズホルダ２４３の位置調整方向Ｐ１，Ｐ２側の側縁には、フォーカス方向Ｆ２に延びる一対の基板取付部２４４が設けられている。また、レンズホルダ２４３のトラッキング方向Ｔ１，Ｔ２側の側縁には、トラッキング方向Ｔ１，Ｔ２に延びる２個の第１の固定アーム２４５が設けられている。
また、一対の基板取付部２４４のフォーカス方向Ｆ２側の端部には、図３に示すように、両者を連結する２個の固定連結部２４６がトラッキング方向Ｔ１に並んで設けられている。これらの固定連結部２４６の中央には、この両者とレンズホルダ２４３とを連結する中間連結部２４７が設けられている。また、固定連結部２４６の中央には、第１の固定アーム２４５と略等しい形状を有する合計２個の第２の固定アーム２４８がそれぞれ設けられている。さらに、第２の固定アーム２４８の位置調整方向Ｐ１，Ｐ２側には、第２の固定アーム２４８よりも短い合計４個の第３の固定アーム２４９がそれぞれ設けられている。【００１７】
動作制御部２７は、図１〜図３に示すように、２個の磁石２７１と、コイル保持部としての２個のコイル基板２７２と、第１，第２のトラッキングサスペンション２７３，２７４と、第３の通電部としてのトラッキングコイル接続部材２７５と、第１〜第４のフォーカスサスペンション２７６〜２７９と、第１，第２のフォーカス接続部材２８０，２８１と、を備えている。
２個の磁石２７１は、略長方形板状に形成されており、第２，第３のヨーク１５，１８にそれぞれ取り付けられている。各磁石２７１におけるコイル基板２７２に対向する面には、所定の着磁パターンが形成されている。【００１８】
コイル基板２７２は、略長方形板状に形成されており、磁石２７１に対向するように、可動部２４の基板取付部２４４にそれぞれ取り付けられている。コイル基板２７２の磁石２７１と対向する面には、コイルとしての図示しないトラッキングコイルと、第１の近傍コイルとしての図示しない第１のフォーカスコイルと、第２の近傍コイルとしての図示しない第２のフォーカスコイルと、が設けられている。
また、コイル基板２７２におけるフォーカス方向Ｆ１側には、トラッキングコイルに接続されたトラッキング端子２８２Ａがそれぞれ設けられている。さらに、フォーカス方向Ｆ２側には、各フォーカスコイルに接続された一対のフォーカス端子２８３Ａ，２８３Ｂがそれぞれ設けられている。【００１９】
各トラッキングサスペンション２７３，２７４は、図５および図８にも示すように、各弾性保持部２１２，２１３と可動部２４とを連結するとともに、トラッキングコイルに電力を供給する。各トラッキングサスペンション２７３，２７４は、各弾性保持部２１２，２１３にインサート成形された第１，第２のサスペンション端子部２７３Ａ，２７４Ａを備えている。第１のサスペンション端子部２７３Ａは、第１の弾性保持部２１２から位置調整方向Ｐ１に突出する内側突出部２７３Ｂおよび外側突出部２７３Ｃを備えている。また、第１のサスペンション端子部２７３Ａには、トラッキング方向Ｔ１に隣接し位置調整方向Ｐ２に略線状に延びる一対の弾性部としての第１のトラッキング弾性部２７３Ｄが設けられている。第２のサスペンション端子部２７４Ａには、可動部２４の中心を通り位置調整方向Ｐ１と平行なチルト軸Ｋ（図１参照）を中心にして各構成２７３Ｂ〜２７３Ｄと略線対称な形状を有する内側突出部２７４Ｂと、外側突出部２７４Ｃと、一対の弾性部としての第２のトラッキング弾性部２７４Ｄと、が設けられている。
そして、内側突出部２７３Ｂ，２７４Ｂは、フレキシブル基板２３に半田Ｈ（図１では図示せず）で固定されている。
また、各トラッキング弾性部２７３Ｄ，２７４Ｄの先端には、一対のコイル基板２７２の中間（以下、基板中間位置と称す）から互いに近づく方向に延びた後に位置調整方向Ｐ１，Ｐ２にそれぞれ延びる第１，第２の通電部としての第１，第２のトラッキング通電部２７３Ｅ，２７４Ｅが設けられている。各トラッキング通電部２７３Ｅ，２７４Ｅの先端は、図２に示すように、位置調整方向Ｐ１，Ｐ２側のコイル基板２７２に半田Ｈ（図１では図示せず）で固定され、トラッキング方向Ｔ１，Ｔ２側のトラッキング端子２８２Ａを介してトラッキングコイルに電気的に接続されている。そして、各トラッキング通電部２７３Ｅ，２７４Ｅは、各トラッキング弾性部２７３Ｄ，２７４Ｄとの接続部分が第１の固定アーム２４５にインサート成形されている。【００２０】
トラッキングコイル接続部材２７５は、図８に示すように、フォーカス方向Ｆ１からの平面視で可動部２４の中心に対して略点対称な形状に形成されている。
具体的には、トラッキングコイル接続部材２７５は、可動部２４のトラッキング方向Ｔ１，Ｔ２側にそれぞれ設けられ、一端から他端に向かうにしたがって可動部２４の中央に近づく略クランク状に形成された第１，第２のクランク部２７５Ａ，２７５Ｂを有している。各クランク部２７５Ａ，２７５Ｂの一端は、図２に示すように、位置調整方向Ｐ２，Ｐ１側のコイル基板２７２に半田Ｈ（図１では図示せず）で固定され、トラッキング方向Ｔ１，Ｔ２側のトラッキング端子２８２Ａを介してトラッキングコイルに電気的に接続されている。第１のクランク部２７５Ａの他端は、各レンズ２４１，２４２の間を通りかつトラッキング方向Ｔ２に延びる接続中間部２７５Ｃにより、第２のクランク部２７５Ｂの他端に連結されている。
また、トラッキングコイル接続部材２７５は、各クランク部２７５Ａ，２７５Ｂの他端側と、接続中間部２７５Ｃの全体とがレンズホルダ２４３にインサート成形されている。
そして、上述したような各トラッキングサスペンション２７３，２７４の各トラッキング通電部２７３Ｅ，２７４Ｅと、トラッキングコイル接続部材２７５と、により、一対のトラッキングコイルを直列に接続する第１のコイル接続部２９１が構成されている。【００２１】
各フォーカスサスペンション２７６〜２７９は、図３に示すように、各弾性保持部２１４，２１５と可動部２４とを連結するとともに、各フォーカスコイルに電力を供給する。
各フォーカスサスペンション２７６，２７７は、図５および図９にも示すように、第３の弾性保持部２１４にインサート成形された第１，第２のサスペンション端子部２７６Ａ，２７７Ａを備えている。第１のサスペンション端子部２７６Ａは、第１のトラッキングサスペンション２７３の外側突出部２７３Ｃと略等しい形状の外側突出部２７６Ｃを備えている。また、第２のサスペンション端子部２７７Ａは、第１のトラッキングサスペンション２７３の内側突出部２７３Ｂと略等しい形状の内側突出部２７７Ｂを備えている。さらに、各サスペンション端子部２７６Ａ，２７７Ａには、第１のトラッキングサスペンション２７３の第１のトラッキング弾性部２７３Ｄと対向する第３の弾性部としての第１，第２のフォーカス弾性部２７６Ｄ，２７７Ｄが設けられている。
また、第１のフォーカス弾性部２７６Ｄの先端には、基板中間位置から位置調整方向Ｐ２、トラッキング方向Ｔ１、位置調整方向Ｐ２の順に延びる第１のフォーカス通電部２７６Ｅが設けられている。第２のフォーカス弾性部２７７Ｄの先端には、基板中間位置からトラッキング方向Ｔ１、位置調整方向Ｐ１の順に延びる第２のフォーカス通電部２７７Ｅが設けられている。各フォーカス通電部２７６Ｅ，２７７Ｅの先端は、図３に示すように、位置調整方向Ｐ２，Ｐ１側のコイル基板２７２に半田Ｈで固定され、トラッキング方向Ｔ１側のフォーカス端子２８３Ａを介して第１のフォーカスコイルに電気的に接続されている。【００２２】
各フォーカスサスペンション２７８，２７９は、チルト軸Ｋを中心にして、各フォーカスサスペンション２７７，２７６と線対称な形状に形成されている。つまり、第３のフォーカスサスペンション２７８は、各構成２７７Ａ，２７７Ｂ，２７７Ｄ，２７７Ｅと対称な形状を有する第３のサスペンション端子部２７８Ａと、内側突出部２７８Ｂと、第４の弾性部としての第３のフォーカス弾性部２７８Ｄと、第３のフォーカス通電部２７８Ｅと、を備えている。また、第４のフォーカスサスペンション２７９は、各構成２７６Ａ，２７６Ｃ，２７６Ｄ，２７６Ｅと対称な形状を有する第４のサスペンション端子部２７９Ａと、外側突出部２７９Ｃと、第４の弾性部としての第４のフォーカス弾性部２７９Ｄと、第４のフォーカス通電部２７９Ｅと、を備えている。各フォーカス通電部２７８Ｅ，２７９Ｅの先端は、位置調整方向Ｐ１，Ｐ２側のコイル基板２７２に半田Ｈで固定され、トラッキング方向Ｔ２側のフォーカス端子２８３Ａを介して第２のフォーカスコイルに電気的に接続されている。また、内側突出部２７７Ｂ，２７８Ｂと、外側突出部２７６Ｃ，２７９Ｃと、は、フレキシブル基板２３に半田Ｈで固定されている。
そして、各サスペンション２７３，２７４，２７６〜２７９の各弾性部２７３Ｄ，２７４Ｄ，２７６Ｄ，２７７Ｄ，２７８Ｄ，２７９Ｄ（以下、２７６Ｄ〜２７９Ｄと称す）は、棒状部２１６とダンピング剤充填部２１７とで略区画形成された充填領域Ｄ（図２および図４参照）に充填された図示しないダンピング剤により、サスペンションベース２１に固定されている。【００２３】
各フォーカス接続部材２８０，２８１は、チルト軸Ｋを中心にして線対称な略線状に形成されている。各フォーカス接続部材２８０，２８１は、両端がコイル基板２７２に半田Ｈで固定され、トラッキング方向Ｔ１，Ｔ２側のフォーカス端子２８３Ｂを介して各フォーカスコイルに電気的に接続されている。
また、各フォーカス接続部材２８０，２８１は、略全体が固定連結部２４６にインサート成形されている。【００２４】
そして、図９に示すように、上述したような各フォーカスサスペンション２７６，２７７の各フォーカス通電部２７６Ｅ，２７７Ｅと、第１のフォーカス接続部材２８０と、により、第１のフォーカスコイルを直列に接続する第１の近傍コイル接続部としての第２のコイル接続部２９２が構成されている。また、各フォーカスサスペンション２７８，２７９の各フォーカス通電部２７８Ｅ，２７９Ｅと、第２のフォーカス接続部材２８１と、により、第２のフォーカスコイルを直列に接続する第２の近傍コイル接続部としての第３のコイル接続部２９３が構成されている。【００２５】
そして、可動部２４は、フレキシブル基板２３、各トラッキングサスペンション２７３，２７４、および、トラッキングコイル接続部材２７５を介して、トラッキングコイルに駆動電流が通電されると、トラッキングコイル内の電流と磁石２７１の磁界とにより生じる力により、トラッキング方向Ｔ１，Ｔ２に移動する。また、可動部２４は、フレキシブル基板２３、各フォーカスサスペンション２７６〜２７９、および、各フォーカス接続部材２８０，２８１を介して、各フォーカスコイルに駆動電流が通電されて、各フォーカスコイルの駆動電流により生じる力がフォーカス方向Ｆ１またはフォーカス方向Ｆ２で同じ場合にフォーカス方向Ｆ１，Ｆ２に移動し、フォーカス方向Ｆ１とフォーカス方向Ｆ２とで異なる場合にチルト方向Ｃに移動する。【００２６】
フォーカス方向位置決め部材４０は、図２〜図４、および、図１０に示すように、略コ字状に形成されている。具体的には、フォーカス方向位置決め部材４０は、略十字板状の基部４１を有している。この基部４１の一面の中央には、フォーカス方向Ｆ１に円柱状に膨出し、位置決め孔１２に係合する位置決め膨出部４２が設けられている。また、基部４１の対向する一対の端部には、フォーカス方向Ｆ１に略板状に延びて挿入孔１３に挿入される側板部４３が設けられている。そして、この側板部４３の先端には、互いに対向する方向に突出して、爪係止部２１８に係止される係止爪部４４が設けられている。これらの係止爪部４４は、基部４１に近づくにしたがって対向する側板部４３との間隔が小さくなるように傾斜する傾斜面部４５を備えている。また、係止爪部４４のフォーカス方向Ｆ２側の端部には、円弧面状に形成されて爪係止部２１８と線接触する動作規制接触部４６が設けられている。【００２７】
ここで、図５および図６に示すように、各係合溝部１４Ａ，１５Ａと、各係合突出部２１９，２２０と、により、アクチュエータベース１０に対するサスペンションベース２１のトラッキング方向Ｔ１，Ｔ２への動きを規制するトラッキング方向動作規制部５１が構成されている。そして、図４にも示すように、このトラッキング方向動作規制部５１と、フォーカス方向位置決め部材４０と、により、アクチュエータベース１０に対してサスペンションベース２１を位置調整方向Ｐ１，Ｐ２へ調整可能に位置決めする位置決め部５０が構成されている。【００２８】
［サスペンションベースの製造方法］
次に、サスペンションベース２１の製造方法について説明する。図１１は、サスペンションベースの製造方法を示す断面図である。
図１１に示すように、金型Ｇ内に各サスペンション２７３，２７４，２７６〜２７９を装填し、注入孔ＧｈからＬＣＰ（液晶ポリマ）樹脂を注入する。ここで、略棒状の各弾性保持部２１２〜２１５を形成するための弾性保持部形成領域Ｇ１〜Ｇ４は、トラッキング方向Ｔ１，Ｔ２の寸法がフォーカス方向Ｆ１，Ｆ２方向および位置調整方向Ｐ１，Ｐ２の寸法と比べて小さく形成されている。このため、弾性保持部形成領域Ｇ１〜Ｇ４内でのＬＣＰ樹脂の流動方向は、ほぼ、矢印Ｒ１〜Ｒ４で示すトラッキング方向Ｔ１，Ｔ２のみとなる。つまり、ＬＣＰ樹脂の流動方向がほぼトラッキング方向Ｔ１，Ｔ２のみの各弾性保持部２１２〜２１５を有するサスペンションベース２１が製造される。【００２９】
［光学ピックアップ装置の作用効果］
以上の光学ピックアップ装置１によれば、以下の作用効果が期待できる。
（１）サスペンションベース２１と可動部２４とを連結する各トラッキング弾性部２７３Ｄ，２７４Ｄを有する光学ピックアップ装置１において、可動部２４にトラッキング方向Ｔ１，Ｔ２にそれぞれ略棒状に延びる各弾性保持部２１２，２１３を設け、この各弾性保持部２１２，２１３に各トラッキング弾性部２７３Ｄ，２７４Ｄを保持させている。
このため、各弾性保持部２１２，２１３におけるＬＣＰ樹脂の流動方向をほぼトラッキング方向Ｔ１，Ｔ２のみにすることができ、高温や低温の環境下において各弾性保持部２１２，２１３の形状が変化したとしても、その形状変化をトラッキング方向Ｔ１，Ｔ２のみにすることができる。したがって、光学ピックアップ装置１によらず各弾性保持部２１２，２１３の変形を一様にでき、製品ごとの性能のばらつきを小さくできる。【００３０】
（２）光学ピックアップ装置１に、サスペンションベース２１と可動部２４とを連結する各フォーカス弾性部２７６Ｄ〜２７９Ｄを設けている。そして、可動部２４にトラッキング方向Ｔ１，Ｔ２にそれぞれ略棒状に延びる各弾性保持部２１４，２１５を設け、この各弾性保持部２１４，２１５に各フォーカス弾性部２７６Ｄ〜２７９Ｄを保持させている。
このため、トラッキングコイルと一対のフォーカスコイルとを有し、トラッキング方向Ｔ１，Ｔ２、フォーカス方向Ｆ１，Ｆ２、チルト方向Ｃへ可動部２４を移動させる構成においても、高温や低温の環境下における各弾性保持部２１２，２１３の形状変化を一様にでき、製品ごとの性能のばらつきを小さくできる。【００３１】
（３）各弾性部２７３Ｄ，２７４Ｄ，２７６Ｄ〜２７９Ｄを各弾性保持部２１２〜２１５にインサート成形している。
ここで、上記背景技術の構成では、フレキシブルプリント基板は、半田固定部でサスペンションワイヤに固定されているだけで、サスペンションホルダに固定されていない。このため、何の部材にも固定されていないフレキシブルプリント基板にサスペンションワイヤを固定する必要があり、サスペンションワイヤの位置精度が低くなったり、製造タクトが長くなったりするおそれがある。これに対して、本実施形態では、上述したインサート成形を適用しているため、各弾性部２７３Ｄ，２７４Ｄ，２７６Ｄ〜２７９Ｄの位置精度を高めることができ、製造タクトも短くできる。【００３２】
［他の実施形態］
なお、本発明は前述の一実施形態に限定されるものではなく、本発明の目的を達成できる範囲での変形、改良などは本発明に含まれるものである。【００３３】
すなわち、各サスペンション２７６〜２７９、フォーカスコイル、各弾性保持部２１４，２１５を設けなくてもよい。また、各弾性保持部２１４，２１５を設けずに、各サスペンション２７６〜２７９を各弾性保持部２１２，２１３で保持させてもよい。また、各サスペンション２７３，２７４，２７６〜２７９を各弾性保持部２１２〜２１５にインサート成形しなくてもよい。さらに、各弾性保持部２１２〜２１５をフォーカス方向Ｆ１，Ｆ２に略棒状に延びるように設けてもよい。【００３４】
また、本発明を各レンズ２４１，２４２のうち一方のみを有する光学ピックアップ装置に適用してもよい。
その他、本発明の実施の際の具体的な構造および手順は、本発明の目的を達成できる範囲で他の構造などに適宜変更できる。【００３５】
［実施形態の効果］
上述したように、サスペンションベース２１と可動部２４とを連結する各トラッキング弾性部２７３Ｄ，２７４Ｄを有する光学ピックアップ装置１において、可動部２４にトラッキング方向Ｔ１，Ｔ２にそれぞれ略棒状に延びる各弾性保持部２１２，２１３を設け、この各弾性保持部２１２，２１３に各トラッキング弾性部２７３Ｄ，２７４Ｄを保持させている。
このため、各弾性保持部２１２，２１３におけるＬＣＰ樹脂の流動方向をほぼトラッキング方向Ｔ１，Ｔ２のみにすることができ、高温や低温の環境下において各弾性保持部２１２，２１３の形状が変化したとしても、その形状変化をトラッキング方向Ｔ１，Ｔ２のみにすることができる。したがって、光学ピックアップ装置１によらず各弾性保持部２１２，２１３の変形を一様にでき、製品ごとの性能のばらつきを小さくできる。
【産業上の利用可能性】
【００３６】
本発明は、光学ピックアップ装置として利用できる。
【図１】
2010086957.tif 000003
【図２】
2010086957.tif 000004
【図３】
2010086957.tif 000005
【図４】
2010086957.tif 000006
【図５】
2010086957.tif 000007
【図６】
2010086957.tif 000008
【図７】
2010086957.tif 000009
【図８】
2010086957.tif 000010
【図９】
2010086957.tif 000011
【図１０】
2010086957.tif 000012
【図１１】
2010086957.tif 000013
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
ベース部材と、このベース部材に固定される支持部と、レンズを有する可動部と、前記支持部に対して前記可動部を移動させる動作制御部と、を具備し、
前記動作制御部は、
コイルと、このコイルの近傍に設けられた第１の近傍コイルおよび第２の近傍コイルとを保持し、前記レンズを挟む状態で前記可動部に設けられた一対のコイル保持部と、
前記コイルと隙間を介して略対向する状態で前記ベース部材に設けられた磁石と、
前記支持部と前記可動部とを連結するとともに前記コイルに電気的に接続された第１の弾性部および第２の弾性部と、
前記支持部と前記可動部とを連結するとともに前記第１の近傍コイルに電気的に接続され、前記第１の弾性部のフォーカス方向の一方向側に設けられた第３の弾性部と、
前記支持部と前記可動部とを連結するとともに前記第２の近傍コイルに電気的に接続され、前記第２の弾性部の前記フォーカス方向の一方向側に設けられた第４の弾性部と、を備え、前記コイルへの通電により発生する電磁力で前記可動部をトラッキング方向に往復移動させ、前記第１の近傍コイルおよび前記第２の近傍コイルへの通電による電磁力で前記可動部をフォーカス方向およびチルト方向のうち少なくとも一方に往復移動させ、
前記支持部は、
トラッキング方向の両側に向かって略棒状に延びる形状に形成されて、前記第１の弾性部および前記第２の弾性部をそれぞれ保持する第１の弾性保持部および第２の弾性保持部と、
前記第１の弾性保持部および前記第２の弾性保持部の前記フォーカス方向の一方向側から前記トラッキング方向の両側に向かって略棒状に延びる形状に形成されて、前記第３の弾性部および前記第４の弾性部をそれぞれ保持する第３の弾性保持部および第４の弾性保持部と、
前記第１の弾性保持部と前記第３の弾性保持部との間において、前記第１の弾性保持部と前記第３の弾性保持部との間に隙間が形成される状態で設けられた第１の中間部と、
前記第２の弾性保持部と前記第４の弾性保持部との間において、前記第２の弾性保持部と前記第４の弾性保持部との間に隙間が形成される状態で設けられた第２の中間部と、
を備えている
ことを特徴とする光学ピックアップ装置。
【請求項２】
請求項１に記載の光学ピックアップ装置において、
前記支持部は、
前記第１の弾性保持部、前記第２の弾性保持部、前記第３の弾性保持部、および、前記第４の弾性保持部のそれぞれから、前記可動部に向かって略棒状に延びる第１の棒状部、第２の棒状部、第３の棒状部、および、第４の棒状部と、
前記第１の棒状部と前記第３の棒状部との間に設けられ、前記第１の弾性保持部を固定するダンピング剤が充填される第１の充填領域を前記第１の棒状部とにより略区画形成するとともに、前記第３の弾性保持部を固定するダンピング剤が充填される第３の充填領域を前記第３の棒状部とにより略区画形成する第１のダンピング剤充填部と、
前記第２の棒状部と前記第４の棒状部との間に設けられ、前記第２の弾性保持部を固定するダンピング剤が充填される第２の充填領域を前記第２の棒状部とにより略区画形成するとともに、前記第４の弾性保持部を固定するダンピング剤が充填される第４の充填領域を前記第４の棒状部とにより略区画形成する第２のダンピング剤充填部と、を備え、
前記第１の中間部と前記第１のダンピング剤充填部は、一体的に形成されており、
前記第２の中間部と前記第２のダンピング剤充填部は、一体的に形成されている
ことを特徴とする光学ピックアップ装置。
【請求項３】
請求項１または請求項２に記載の光学ピックアップ装置において、
前記弾性部は、前記弾性保持部にインサート成形されることで保持されている
ことを特徴とする光学ピックアップ装置。
【手続補正２】
【補正対象書類名】明細書
【補正対象項目名】０００２
【補正方法】変更
【補正の内容】
【０００２】
課題を解決するための手段
［０００６］
本発明の光学ピックアップ装置は、ベース部材と、このベース部材に固定される支持部と、レンズを有する可動部と、前記支持部に対して前記可動部を移動させる動作制御部と、を具備し、前記動作制御部は、コイルと、このコイルの近傍に設けられた第１の近傍コイルおよび第２の近傍コイルとを保持し、前記レンズを挟む状態で前記可動部に設けられた一対のコイル保持部と、前記コイルと隙間を介して略対向する状態で前記ベース部材に設けられた磁石と、前記支持部と前記可動部とを連結するとともに前記コイルに電気的に接続された第１の弾性部および第２の弾性部と、前記支持部と前記可動部とを連結するとともに前記第１の近傍コイルに電気的に接続され、前記第１の弾性部のフォーカス方向の一方向側に設けられた第３の弾性部と、前記支持部と前記可動部とを連結するとともに前記第２の近傍コイルに電気的に接続され、前記第２の弾性部の前記フォーカス方向の一方向側に設けられた第４の弾性部と、を備え、前記コイルへの通電により発生する電磁力で前記可動部をトラッキング方向に往復移動させ、前記第１の近傍コイルおよび前記第２の近傍コイルへの通電による電磁力で前記可動部をフォーカス方向およびチルト方向のうち少なくとも一方に往復移動させ、前記支持部は、トラッキング方向の両側に向かって略棒状に延びる形状に形成されて、前記第１の弾性部および前記第２の弾性部をそれぞれ保持する第１の弾性保持部および第２の弾性保持部と、前記第１の弾性保持部および前記第２の弾性保持部の前記フォーカス方向の一方向側から前記トラッキング方向の両側に向かって略棒状に延びる形状に形成されて、前記第３の弾性部および前記第４の弾性部をそれぞれ保持する第３の弾性保持部および第４の弾性保持部と、前記第１の弾性保持部と前記第３の弾性保持部との間において、前記第１の弾性保持部と前記第３の弾性保持部との間に隙間が形成される状態で設けられた第１の中間部と、前記第２の弾性保持部と前記第４の弾性保持部との間において、前記第２の弾性保持部と前記第４の弾性保持部との間に隙間が形成される状態で設けられた第２の中間部と、を備えていることを特徴とする。
図面の簡単な説明
［０００７］
［図１］本発明の一実施形態に係る光学ピックアップ装置の斜視図である。
［図２］前記光学ピックアップ装置のフォーカス方向Ｆ１側からの平面図である。
［図３］前記光学ピックアップ装置のフォーカス方向Ｆ２側からの平面図である。
［図４］図２のＩＶ−ＩＶ線に沿った断面図である。
［図５］前記光学ピックアップ装置の位置調整方向Ｐ１側からの側面図である。
［図６］図２のＶＩ−ＶＩ線に沿った断面図である。
［図７］トラッキング端子およびフォーカス端子を示す図である。
［図８］第１，第２のトラッキングサスペンションおよびトラッキングコイル接続部材を示す平面図である。
［図９］第１〜第４のフォーカスサスペンションおよび第１，第２のフォーカス接続部材を示す平面図である。
［図１０］フォーカス方向位置決め部材の断面図である。
［図１１］サスペンションベースの製造方法を示す断面図である。
符号の説明
［０００８］
１…光学ピックアップ装置
１０…ベース部材としてのアクチュエータベース
【国際調査報告】
2010086957.tif 000014
2010086957.tif 000015
2010086957.tif 000016
2010086957.tif 000017